(57)【要約】【課題】  高速転送が要求されるＣＤ，ＤＶＤ等の光ディスク再生装置において、簡易な構造で低コストを実現しつつディスク高速回転時に発生する風切り音を抑制し得る低騒音の光ディスク再生装置を提供する。【解決手段】  モータによって回転駆動され、ディスクを回転させるターンテーブルと、該ターンテーブルと協動してディスクを挟持するクランパと、該クランパを保持するクランパホルダとを備えた光ディスク再生装置は、クランパホルダがディスク回転方向に沿ってディスクの表面に対して傾斜して構成される。【選択図】図３
2006260628.tif 000002
【特許請求の範囲】
【請求項１】
モータによって回転駆動され、ディスクを回転させるターンテーブルと、該ターンテーブルと協動して前記ディスクを挟持するクランパと、該クランパを保持するクランパホルダとを備えた光ディスク再生装置において、前記クランパホルダが前記ディスク回転方向に沿ってディスクの表面に対して傾斜したことを特徴とした光ディスク再生装置。
【請求項２】
請求項１の光ディスク再生装置において、前記クランパホルダは、ディスクの回転方向に対して垂直となる先端部をＲ形状、または面取りした形状にしたことを特徴とした光ディスク再生装置。
【請求項３】
請求項１または請求項２の光ディスク再生装置において、ディスクの回転方向に対する前記クランパホルダの幅を前記クランパの直径と同じか／またはそれ以下に成したことを特徴とした光ディスク再生装置。
【請求項４】
請求項１または請求項２に記載した光ディスク再生装置において、ディスクを搬出入するトレイ上面の高さを、該トレイを保持するトレイ保持部品の高さと同じか／またはそれ以上に高くしたことを特徴とした光ディスク再生装置。
【発明の詳細な説明】
【技術分野】
【０００１】
本発明は、光ディスク，磁気ディスク，光磁気ディスク等のディスク状媒体に記録されたデータを再生する光ディスク再生装置に係わり、特に、ディスクの高速回転が要求される光ディスク再生装置に関する。
【背景技術】
【０００２】
近年、高速転送レート化を実現するために、ディスクの高速回転に対応した光ディスク再生装置が普及している。この光ディスク再生装置においては、ディスクが高速で回転する際に発生する風切り音及び風圧による振動が光ディスク再生装置からの騒音となり、この騒音の低減が重要な課題になっている。
【０００３】
図７は従来の光ディスク再生装置の一例を示す斜視図である。
光ディスク再生装置２００は、前面にフロントパネル９を固定し上面にトップカバー１１を固定する筐体１０を備える。
【０００４】
フロントパネル９には、前後に貫通する開口部１２を備える。
筐体１０の内部にはディスク再生部３０が固定されている。
【０００５】
図５は、一般的な光ディスク再生装置のディスク再生部の断面図、図６は、上面図であり、ここでは、主要な構成要素のみを図示している。また、図５および図６には、ディスクが回転する際、発生するディスク周りの、空気の流れの様子を矢印によって併せて示してある。
【０００６】
図５，図６および図７において、１は情報の読み込み専用、およびまたは情報を書き込み可能な光ディスク、２は筐体１０内に収納される位置と開口部１２から筐体１０の前方へ引き出される位置とをスライドすることによりディスク１を光ディスク再生装置２００に搬出入するためのトレイ、２ａはディスク搬出入時にディスク１を載せるトレイ２のディスク載置面、３はトレイ２の前方側に取り付けられたトレイパネル、４はトレイ２によって筐体１０内に収納されたディスク１を載置及び保持し、ディスク１を回転させるターンテーブル、５はターンテーブル４と協動してディスク１を挟持するクランパ、６はクランパ５を保持するクランパホルダ、７はトレイ搬出入時トレイ２を保持するトレイ保持部品、８はディスク１の情報を読み込む、およびまたは、書き込むピックアップ、９はディスク１の挿入側に位置し、光ディスク装置の外筐の一部を構成するフロントパネルである。
【０００７】
図５および図６に示すように、２１，２２，２３，２４は、ディスク回転時に発生する光ディスク再生装置の空気の流れを示している。２１は、ディスク１の上面に発生する空気の流れ、２２，２４は、ディスク１の下面に発生する空気の流れ、２３は、空気の流れ２１と２２が合流して、ディスク１の外周方向へ吹き出す空気の流れである。
【０００８】
ディスク１の上面に発生する空気の流れ２１がクランパホルダ６に衝突することにより衝突音が発生する。また、クランパホルダ６で空気の流れ２１が圧縮されるため空気の摩擦音が大きくなり、また、空気の圧力が高まり、光ディスク再生装置に振動が発生して騒音の発生要因の一つとなっていた。
【０００９】
特に、クランパホルダ６の幅がディスク１の回転方向に対して大きい場合、あるいは上カバーをクランパホルダに兼用している場合、クランパホルダ６とディスク１との間の空気圧が高くなり、振動が原因の騒音が大きくなりやすい傾向があった。
【００１０】
また、ディスク１の下面に発生する空気の流れ２２により、ディスク１とトレイ２との間で空気の摩擦音、及び空気圧により光ディスク再生装置に振動が発生して騒音の発生要因の一つとなっていた。
【００１１】
また、トレイ２を保持するトレイ保持部品７の高さがトレイ２より高い場合、ディスク１の上面に発生する空気の流れ２１及び空気の流れ２１と２２が合流した空気の流れ２４が衝突することにより衝突音及び振動が原因の騒音が大きくなりやすい傾向があった。
【００１２】
ここで、光ディスク再生装置内でディスクを包み込むように密閉し、光ディスク装置外に空気の流れをもらさず静音化を図る光ディスク再生装置が案出されている。（例えば、特許文献１参照。）
また、光ディスク再生装置内でフロントパネル側のみに遮蔽板を設け、静音化を図る光ディスク再生装置が案出されている。（例えば、特許文献２参照。）
【００１３】
【特許文献１】特開２００３−２７２３６８号公報
【特許文献２】特開２００１−１６０２８３号公報
【発明の開示】
【発明が解決しようとする課題】
【００１４】
しかしながら、特許文献１及び特許文献２に開示された発明は、光ディスクの回転に伴って発生する風切り音が装置外部に漏れるのを防止するための仕切壁やパッキン部材が必要となり、光ディスク再生装置の製品コストが増大してしまう。また、前述した仕切壁やパッキン部材を装置内部に備えると、光ディスクを高速で回転させた場合、ディスクの回転により発生する気流がこの仕切壁に衝突し、この気流の衝突によって振動が生じ、騒音が更に増大してしまうことがある。
【００１５】
本発明は、高速転送が要求されるＣＤ，ＤＶＤ等の光ディスク再生装置において、簡易な構造で低コストを実現しつつディスク高速回転時に発生する風切り音を抑制し得る低騒音の光ディスク再生装置を提供することを目的とする。
【課題を解決するための手段】
【００１６】
上記した目標を達成するため、本発明の光ディスク再生装置は、モータによって回転駆動されディスクを回転させるターンテーブルと、装置の前面側に出し入れ可能とされ、ディスクをターンテーブルに対して所定の位置に持ち運ぶトレイとを備えたディスク装置において、クランパを保持するクランパホルダの幅をクランパの直径と同じかまたは、それ以下に成すとともに、クランパホルダがディスクの回転方向に沿ってディスクの表面に対して傾斜する構成とすることを特徴とする。
【００１７】
また、トレイ上面の高さをトレイ保持部品と同じかまたはそれ以上に成す構成とすることを特徴とする。
【発明の効果】
【００１８】
本発明によれば、簡易な構造で低コストを実現しつつディスクを高速で回転させたときにクランパホルダの構造に起因して発生する騒音を抑制することができる光ディスク再生装置を提供することができる。
【発明を実施するための最良の形態】
【００１９】
以下、本発明の実施の形態を一例として光ディスク再生装置の一種であるＣＤプレーヤに適用した場合について、図１から図４を用いて説明する。
【実施例】
【００２０】
図１は本発明の一実施例の光ディスク再生装置を示す断面図、図２は本実施例の光ディスク再生装置を示す上面図、図３は本実施例の光ディスク再生装置を示す斜視図である。
【００２１】
図１，図２および図３において、１はディスク、２はディスク１を装置からローディング／アンローディング（以下、搬出入と記す。）する際に、ディスク１を載置するトレイ、２ａは凹型を成しディスク搬出入時にディスク１が載せられるトレイ２上のディスク載置面、２ｂはトレイ２上に設けられており、ディスク１の外周を概略取り囲む形で形成されている側壁である。３はトレイ２の前方側に取り付けられたトレイパネル、４はディスク１がトレイ２によって所定位置まで搬入された際、ディスク１を載置及び保持し、ディスク１を回転させるターンテーブル、５はディスク１がトレイ２で所定位置まで搬入された際、図示しない駆動部によって上昇してきたターンテーブル４と協動してターンテーブル４とでディスク１を挟み込む形で保持するクランパである。６はクランパ５を保持するクランパホルダ、７はトレイ搬出入時トレイを保持するトレイ保持部品、８はディスク１の情報を読み込む／およびまたは書き込むピックアップ、９はディスク１の挿入側に位置し、トレイ２が筐体１０内に収納されたときに開口部１２を塞ぐフロントパネルである。
【００２２】
ピックアップ８は、ターンテーブル４を回転駆動するモータ（図示していない。）、ピックアップ駆動部と共にユニットメカに固定されており、このユニットメカは昇降機構（図示していない。）によってその一辺端を回転中心として上下に移動可能に構成されている。
【００２３】
図３に示すように、光ディスク再生装置１００は、直方体を成す筐体１０の前面にフロントパネル９が固定され、上面にトップカバー１１が固定されている。筐体１０の内部には、ディスク再生部３０が固定されている。フロントパネル９は、前後に貫通する開口部１２を備える。
【００２４】
ディスク再生部３０は、トレイ２，トレイパネル３，クランパ５，クランパホルダ６，トレイ保持部品７，ピックアップ８及び図示しないトレイ駆動部を備える。トレイ保持部品７は、トレイ２が前後にスライド可能となるようトレイ２の左右側面を保持する。トレイ２は、開口部１２の後方となる位置に配設され、トレイ駆動部によって、筐体１０内に収納される位置と開口部１２から筐体１０の前方へ引き出される位置とをスライドする。
【００２５】
トレイ保持部品７は、左右両方向に延びる板状の上面にクランパホルダ６を備える。
【００２６】
クランパホルダ６は、薄い板状を成し、右端部分及び左端部分がそれぞれトレイ保持部品７に固定されている。クランパホルダ６は略中央部分に円筒部６０１を備える。円筒部６０１は、上下に貫通する孔６０２を備える。孔６０２には、円盤型を成すクランパ５が上下方向に所定の長さだけ移動可能となるように保持されている。
【００２７】
円筒部６０１の外径部分を除いたクランパホルダ６の前端から後端までの幅は、クランパ５の外径と同じか、又は小さい。円筒部６０１の外径部分を除いたクランパホルダ６の上面及び下面は、右端部分および左端部分においてディスク１の回転方向（本実施例では時計回転方向とする。）に沿ってディスク１の表面に対して傾斜した形状をなす。すなわち、光ディスク再生装置１００の前面から見て円筒部６０１に対して右側部分となるクランパホルダ６の上面及び下面は、光ディスク再生装置１００の前方から後方に向かって下方に傾斜し、光ディスク再生装置１００の前面から見て円筒部６０１に対して左側部分となるクランパホルダ６の上面及び下面は、光ディスク再生装置１００の前方から後方に向かって上方に傾斜している。
【００２８】
クランパホルダ６の前端及び後端の上端辺及び下端辺は、Ｒ形状又は面取り形状を成している。
【００２９】
また、ディスク１の回転方向に対するクランパホルダ６の幅をクランパ５の直径と同じか／またはそれ以下としている。
【００３０】
筐体１０内にディスク１が搬入され、ディスク１がターンテーブル４上に装着・保持されてディスク１の回転が始まった際の光ディスク再生装置１００の側面を図１に示し、図２に上面を示している。なお、図１，図２にはディスクの回転方向と、それに起因する空気の流れの様子を矢印によって併せて示してある。
【００３１】
図１，図２に示すようにディスク１の回転により、遠心力で発生する空気の流れは、ディスク１の上下面でそれぞれ発生する。図１，図２において、２１，２２，２３，２４は、ディスク１の回転時に装置内で発生する空気の流れ（気流）をそれぞれ示している。
【００３２】
ディスク１の回転により、遠心力で発生する空気の流れは、ディスク１の回転中心から竜巻状に全方向に流れており、デイスク１の表面のみでなく離れた場所の空気も回転され全周方向に流れている。
【００３３】
図４ａは、ディスク再生部３０の右側の断面図、図４ｂは、ディスク再生部３０の左側の断面図である。ディスク１の上面で発生した空気の流れ２１は、クランパホルダ６の上面及び下面をディスク１の回転方向に沿って、ディスク１の表面に対して傾斜させたことにより空気の流がスムーズになり、空気の一時的な圧縮が起きにくいため、空気の衝突音や振動の発生を軽減でき、ディスク１の回転により発生する騒音のレベルを低減することが出来る。発生した空気の流れ２１からみると、クランパホルダ６の上面および下面をディスク１の回転方向に沿って風上から風下方向に傾斜させて、空気の流れをスムーズになるようにしている。
【００３４】
また、クランパホルダ６の前端部分と後端部分をＲ形状、または面取り形状とすることにより、さらにディスクの回転により発生した空気の流れがスムーズになり衝突音や振動の発生を低減できる。
【００３５】
また、クランパホルダ６の前後方向の幅をクランパ５の外径と同じか、またはそれ以下にすることにより、図６に示す従来の光ディスク再生装置と比較してクランパホルダ６への空気の衝突する面積が小さくなるのでディスクの回転により生じた気流がクランパホルダ６に衝突することによって生じる振動の発生を軽減でき、ディスクを高速回転した場合の騒音のレベルを低減することが出来る。
【００３６】
また、トレイ２上面の高さをトレイ保持部品７と同じかまたはそれ以上に成す構成をとることにより、ディスク１の上面に発生する空気の流れ２１及び空気の流れ２１と２２が合流した空気の流れ２４がトレイ保持部品７衝突することがないため衝撃音や振動の発生を低減できる。
【００３７】
以上、上述してきた実施の形態によれば、図５，図６および図７を用いて説明した従来の光ディスク再生装置と比較し、騒音低減効果があることが実験で確認された。またディスク１の回転がスムーズになることによりディスク１のデータを読み込む際の読み込みエラーが減少したことが確認されている。
【００３８】
本実施例の光ディスク再生装置によれば、容易な構造によって、ディスク高速回転時に発生する光ディスク再生装置の空気の流れを乱さないことにより、余計な製造コストが掛からない光ディスク再生装置を提供することができる。
【図面の簡単な説明】
【００３９】
【図１】本発明の一実施例の光ディスク再生装置を示す断面図。
【図２】本発明の一実施例の光ディスク再生装置を示す上面図。
【図３】本発明の一実施例の光ディスク再生装置を示す斜視図。
【図４】ディスク再生部３０の側断面を示し、図４（ａ）はディスク再生部３０の右側断面図，図４（ｂ）はディスク再生部３０の左側断面図。
【図５】従来の光ディスク再生装置の断面図。
【図６】従来の光ディスク再生装置の上面図。
【図７】従来の光ディスク再生装置の斜視図。
【符号の説明】
【００４０】
１…光ディスク、２…トレイ、３…トレイパネル、４…ターンテーブル、５…クランパ、６…クランパホルダ、７…トレイ保持部品、８…ピックアップ、９…フロントパネル、１０…筐体、１１…トップカバー、１２…開口部、３０…ディスク再生部、１００…光ディスク再生装置、２００…光ディスク再生装置、６０１…円筒部。
【図１】
2006260628.tif 000003
【図２】
2006260628.tif 000004
【図３】
2006260628.tif 000005
【図４】
2006260628.tif 000006
【図５】
2006260628.tif 000007
【図６】
2006260628.tif 000008
【図７】
2006260628.tif 000009